(57)【特許請求の範囲】
【請求項１】
座板を有する複数の座体を連結した連結椅子において、
前記座板の端縁同士を近接して配置し、該座板の端縁同士の間にスリット部が形成され、前記座板の下方から延設された肘掛けの支持部の一部は、前記スリット部に配置される薄板状のプレート部となっており、前記プレート部の上端部には、該プレート部よりも左右幅広に形成された肘掛けの下辺部を構成する幅広部が設けられ、該幅広部が前記スリット部を上方側から覆うことを特徴とする連結椅子。
【請求項２】
前記座体は背凭れを有し、該背凭れの端部同士が離間されて背凭れ隙間部が形成され、前記肘掛けの支持部の一部は、前記背凭れ隙間部に向かって延設されて略フレーム状をなすフレーム部となっており、該フレーム部から前記プレート部が前記スリット部に向かって延設されることを特徴とする請求項１に記載の連結椅子。
【請求項３】
前記肘掛けの支持部の一部は、前記背凭れ隙間部に配置されて該背凭れ隙間部の少なくとも一部を閉塞する閉塞部となっていることを特徴とする請求項２に記載の連結椅子。
【請求項４】
前記座体と前記肘掛けとは、支持脚が設けられた支持フレームにそれぞれ取り付けられることを特徴とする請求項１ないし３のいずれかに記載の連結椅子。
【発明の詳細な説明】
【技術分野】
【０００１】
本発明は、多数の人が利用する待合室のような共有空間に設置される連結椅子に関する。
【背景技術】
【０００２】
従来、背凭れと座板とを有する複数の座体を連結した連結椅子は、互いの座板同士の間に隙間を形成した状態となっている（例えば、特許文献１参照）。このような連結椅子は、多数の人が利用する待合室のような共有空間に設置されて使用されるようになっており、子供等も使用するようになっている。そして、待合中の子供などが座板に登ってしまうと、座面同士の間の隙間に足を挟めてしまう場合があり、このような事態を防止するために連結椅子の座板同士の間の隙間を埋める隙間カバーなどがある（例えば、特許文献２参照）。
【先行技術文献】
【特許文献】
【０００３】
【特許文献１】特開２００７−２１１８１６号公報（第１図）
【特許文献２】意匠登録第１３３４４２３号公報（使用状態を示す参考図）
【発明の概要】
【発明が解決しようとする課題】
【０００４】
しかしながら、特許文献２に記載の隙間カバーにあっては、座板同士の間の隙間を埋めるための別部材としての隙間カバーが必要となり、連結椅子の部品点数が増えるばかりか、この隙間カバーを取り付けると肘掛けを設けられなくなるという問題がある。また、座板の端縁同士を近接させることで隙間を埋めることもできるが、この場合も、肘掛けを設けるスペースが無くなるという問題がある。
【０００５】
本発明は、このような問題点に着目してなされたもので、座体の座板同士の間の隙間を狭くすることができ、かつ座体同士の間に肘掛けを設けることができる連結椅子を提供することを目的とする。
【課題を解決するための手段】
【０００６】
前記課題を解決するために、本発明の連結椅子は、
座板を有する複数の座体を連結した連結椅子において、
前記座板の端縁同士を近接して配置し、該座板の端縁同士の間にスリット部が形成され、前記座板の下方から延設された肘掛けの支持部の一部は、前記スリット部に配置される薄板状のプレート部となっており、前記プレート部の上端部には、該プレート部よりも左右幅広に形成された肘掛けの下辺部を構成する幅広部が設けられ、該幅広部が前記スリット部を上方側から覆うことを特徴としている。
この特徴によれば、座板の端縁同士が近接され、座体の座板同士の間の隙間を狭くすることができるばかりか、肘掛けのプレート部がスリット部に配置されることにより、座板の端縁同士を近接させた状態を維持しつつ、座体同士の間に肘掛けを設けることができ、かつプレート部は肘掛けの支持部を利用して設けられるため、スリット部を埋めるための部材を別途設ける必要がなくなり、またスリット部を上方側から覆う肘掛けの下辺部を構成する幅広部により、座体に座った使用者の衣服や荷物等がスリット部に挟まることも防止できる。
【０００８】
本発明の連結椅子は、
前記座体は背凭れを有し、該背凭れの端部同士が離間されて背凭れ隙間部が形成され、前記肘掛けの支持部の一部は、前記背凭れ隙間部に向かって延設されて略フレーム状をなすフレーム部となっており、該フレーム部から前記プレート部が前記スリット部に向かって延設されることを特徴としている。
この特徴によれば、フレーム部によって肘掛けの支持部の強度が向上し、かつ肘掛けを連結椅子に取り付ける際に、肘掛けのプレート部を座体の背面側からスリット部に挿入し易くなり、肘掛けを連結椅子に容易に取り付けることができる。
【０００９】
本発明の連結椅子は、
前記肘掛けの支持部の一部は、前記背凭れ隙間部に配置されて該背凭れ隙間部の少なくとも一部を閉塞する閉塞部となっていることを特徴としている。
この特徴によれば、背凭れ隙間部を閉塞する閉塞部により、座体に座った使用者の衣服や荷物等が背凭れ隙間部に挟まることを防止できる。
【００１０】
本発明の連結椅子は、
前記座体と前記肘掛けとは、支持脚が設けられた支持フレームにそれぞれ取り付けられることを特徴としている。
この特徴によれば、座体と肘掛けとは、それぞれ別個に支持フレームにより支持されるため、座体に座った使用者が肘掛けに荷重を掛けても、その荷重が肘掛けから座体に伝達されずに済むようになり、肘掛けに加わる荷重が座板の端縁同士の近接状態に影響を与えずに済むようになる。
【図面の簡単な説明】
【００１１】
【図１】実施例における連結椅子を示す斜視図である。
【図２】図１における連結椅子を示すＡ−Ａ断面図である。
【図３】肘掛けと支持フレームを示す斜視図である。
【図４】図１における連結椅子を示すＢ−Ｂ断面図である。
【図５】図４における座体と肘掛けを示す部分拡大図である。
【図６】座体と肘掛けを示す斜視図である。
【発明を実施するための形態】
【００１２】
本発明に係る連結椅子を実施するための形態を実施例に基づいて以下に説明する。
【実施例】
【００１３】
実施例に係る連結椅子につき、図１から図６を参照して説明する。以下、図２の紙面左側を連結椅子の正面側（前方側）とし、図４及び図５の紙面手前側を連結椅子の正面側（前方側）として説明する。
【００１４】
図１の符号１は、本発明の適用された連結椅子である。図１に示すように、連結椅子１は、床から立設される左右１対の支持脚２と、支持脚２の上部に設けられた支持フレーム３と、４つの座体４と、５つの肘掛け５と、を有し、ロビー等の待合室に設置されて複数の人が着席できるようになっている。
【００１５】
図１に示すように、支持脚２は、側面視で逆Ｖ字状をなしており、前後方向に２本の脚部６，６を有している。また、支持脚２の上端部は、コ字状をなしており、角柱形状の支持フレーム３を取り付けられるようになっている。
【００１６】
左右の支持脚２，２の上端部には、支持フレーム３がそれぞれ係合しており、支持フレーム３の上方から、後述するブラケット７が螺着されることで、支持フレーム３が支持脚２，２に固定されている。
【００１７】
次に、使用者が腰掛けるための座体４について、図２、図４、図５を参照して説明する。連結椅子１には、４つの座体４が設けられているが、いずれの座体４も構造は同様になっている。
【００１８】
図２に示すように、座体４は、側面視で逆Ｌ字状をなす座体フレーム８を有している。座体フレーム８は、その内側が開口する外フレーム９と、外フレーム９の内側に左右方向に設けられた複数の内フレーム１０からなる（図４，図５参照）。
【００１９】
座体４の前方側は、座板クッション１１が装着されて水平方向を向く座板１２となっており、後方側は、上下２つの背凭れクッション１３，１３が装着されて上下方向を向く背凭れ１４となっている。
【００２０】
座体４の裏側には、背凭れ１４の後方下部から座板１２の下方にかけて、左右１対のブラケット７，７が取り付けられており、ブラケット７の下部は、下方に開口される略コ字状をなしている。このブラケット７の下部が支持フレーム３の上方から係合することで支持フレーム３に座体４が取り付けられるようになっている。
【００２１】
支持フレーム３への座体４の取り付けについて、図４を参照して説明する。左右の支持脚２，２の上方に支持フレーム３が取り付けられ、この支持フレーム３の上方には、座体４が配置され、座体４に設けられた左右のブラケット７，７が支持フレーム３に係合している。
【００２２】
ブラケット７は、支持フレーム３を挟んで下方から係合されるコ字状の座体固定部材１５とともに支持フレーム３に螺着されるようになっている。尚、左右の支持脚２，２の上部に配置されるブラケット７，７、即ち、連結椅子１における両端のブラケット７，７のみ、支持脚２の上端部とともに支持フレーム３に螺着されるようになっている。
【００２３】
このようにして、本実施例における連結椅子１には、支持フレーム３の上方に同一構造の４つの座体４が左右方向に並設されている。
【００２４】
次に、隣接する２つの座体４，４の間、及び連結椅子１の両端に配置される肘掛け５について説明する。いずれの肘掛け５についても、その形状と取り付け構造は同様であるため、図１のＡ−Ａ断面図である図２と、肘掛け５の斜視図である図３を参照して、中央に配置された肘掛け５を例に説明する。尚、図３は、理解を助けるために座体４を図示せずに、肘掛け５が支持フレーム３に取り付けられた状態としてある。
【００２５】
図２及び図３に示すように、肘掛け５の下端部の肘掛け取付部１６には、コ字状をなす係合溝１７が形成されており、この係合溝１７が支持フレーム３の上方から係合し、支持フレーム３の下方からコ字状の肘掛け固定部材１８が係合し、前後２本のネジ１９，１９で固定されている。
【００２６】
図３に示すように、肘掛け取付部１６の上側の肘掛け中央部２０は、その前方側が薄板状に形成された肘掛けプレート部２１となっているとともに、その後方側が前方側よりも左右幅が大きく形成されて略フレーム状をなす肘掛けフレーム部２９となっている。尚、肘掛け中央部２０より上側は、側面視で略四角形状をなす肘掛け本体２２となっており、この肘掛け本体２２は、その内側が開口する略フレーム形状をなしている。
【００２７】
肘掛け本体２２は、座体４よりも上方に位置するように配置されており、略四角形の下辺である肘掛け下辺部２３の高さは、座体フレーム８の水平面の高さと略同一になっている（図２参照）。
【００２８】
また、肘掛け下辺部２３の前後端部からそれぞれ肘掛け前部２４と肘掛け後部２５とが立設されており、略四角形の上辺である肘掛け上辺部２６は、使用者の肘が置かれる程度に左右幅が広くなるように形成されている（図３参照）。尚、肘掛け前部２４の左右幅は、下端部が幅狭となっているとともに、上方にゆくに従って幅広になっている。
【００２９】
次に、左右２つの座体４，４の間に肘掛け５が配置された状態について説明する。図５に示すように、左右に隣接する２つの座体４，４の左右端縁同士は近接して配置され、その間に細長い隙間であるスリット部２７が形成されている。
【００３０】
また、支持フレーム３において隣接する２つのブラケット７，７の間に、肘掛け取付部１６が取り付けられ、肘掛け中央部２０における薄板状の肘掛けプレート部２１が、座体フレーム８，８（外フレーム９，９）間に配置されている。
【００３１】
尚、肘掛けプレート部２１の左右幅は、少なくとも肘掛け上辺部２６の左右幅よりも狭くなるように形成されていればよい。更に尚、肘掛けプレート部２１を含む肘掛け５を摩擦抵抗の少ない金属や樹脂等の材質で形成されており、特に、肘掛けプレート部２１の表面は摩擦抵抗の少ない平滑な平滑面となっている。
【００３２】
また、座板クッション１１は、座体フレーム８よりも左右幅が小さく形成されており、隣接する左右の座板クッション１１，１１の間には、肘掛けプレート部２１よりも左右幅が広い肘掛け下辺部２３が配置されている。尚、肘掛け下辺部２３が本発明における幅広部を構成している。
【００３３】
そして、肘掛け５が取り付けられることで、２つの座板１２，１２間のスリット部２７は、肘掛け下辺部２３によって後方側から３分の２程度が埋められた状態になっている（図６参照）。
【００３４】
尚、スリット部２７の後方側には、背凭れ隙間部２９が形成されており、肘掛け後部２５の形状が背凭れ隙間部２９の形状と同様に、肘掛け下辺部２３から左右幅が徐々に大きくなるように形成されている。そのため肘掛け下辺部２３によってスリット部２７が閉塞されるとともに、肘掛け後部２５によって背凭れ隙間部２９が閉塞される。尚、肘掛け後部２５が本発明における閉塞部を構成している。
【００３５】
更に尚、肘掛けプレート部２１と肘掛け下辺部２３と肘掛け後部２５と肘掛けフレーム部２９とにより、本発明における肘掛け５の支持部を構成している。
【００３６】
このように、座板１２，１２間のスリット部２７に挿通される肘掛けプレート部２１が薄板状に形成されているため、肘掛け５を取り付ける際に、左右の座体４，４同士を大きく離して配置する必要がなく、かつ座板１２，１２間のスリット部２７を狭くして、そのスリット部２７が肘掛け５で埋められていることにより、座板１２に座った使用者の衣服や荷物等がスリット部２７に挟まることも防止できる。
【００３７】
また、肘掛け５の形状は、座板１２，１２間のスリット部２７を通る肘掛けプレート部２１が薄板状に形成されており、上下の肘掛け本体２２及び肘掛け取付部１６の左右幅は、肘掛けプレート部２１よりも大きく形成されているため、左右方向から荷重が掛けられた場合にも安定して支持されるようになっている。
【００３８】
また、支持脚２は、座体４の下方位置の支持フレーム３に取り付けることができるため、支持脚２を、左右端側の肘掛け５よりも内側に取り付けることにより、支持フレーム３の長さを、連結椅子１の左右両端に取り付けられた肘掛け５までの長さとすることができ、左右幅を最小限に抑えることができる。
【００３９】
また、連結椅子１は、支持フレーム３に支持脚２と、座体４と、肘掛け５とを取り付けることにより完成するため、座体４の設置数に応じた長さの支持フレーム３を用意するだけで、その他の部材は同一の部材を用いて座体４の設置数の異なる連結椅子１を製造することができ、部材点数の低減を図ることができる。尚、座体固定部材１５と肘掛け固定部材１８を同一部材とすれば、更に部材点数を低減できる。
【００４０】
以上、本実施例における連結椅子１では、座板１２を有する複数の座体４を連結した連結椅子１において、座板１２の端縁同士を近接して配置し、座板１２の端縁同士の間にスリット部２７が形成され、座板１２の下方から延設された肘掛け５の支持部の一部は、スリット部２７に配置される薄板状の肘掛けプレート部２１となっていることで、座板１２の端縁同士が近接され、座体４の座板同１２士の間の隙間を狭くすることができるばかりか、肘掛け５の肘掛けプレート部２１がスリット部２７に配置されることにより、座板１２の端縁同士を近接させた状態を維持しつつ、座体４同士の間に肘掛け５を設けることができ、かつ肘掛けプレート部２１は肘掛け５の支持部を利用して設けられるため、スリット部２７を埋めるための部材を別途設ける必要がなくなり、この肘掛けプレート部２１によって座体４に座った使用者の衣服や荷物等がスリット部２７に挟まることも防止できる。
【００４１】
また、肘掛けプレート部２１の上端部には、肘掛けプレート部２１よりも左右幅広に形成された幅広部としての肘掛け下辺部２３が設けられ、肘掛け下辺部２３がスリット部２７を上方側から覆うことで、スリット部２７を上方側から覆う肘掛け下辺部２３により、スリット部２７が隠蔽されるとともに、座体４に座った使用者の衣服や荷物等がスリット部２７に挟まることを防止できる。
【００４２】
また、座体４は背凭れ１４を有し、背凭れ１４の端部同士が離間されて背凭れ隙間部２８が形成され、肘掛け５の支持部の一部は、背凭れ隙間部２８に向かって延設されて略フレーム状をなす肘掛けフレーム部２９となっており、この肘掛けフレーム部２９から肘掛けプレート部２１がスリット部２７に向かって延設されることで、肘掛けフレーム部２９によって肘掛け５の支持部の強度が向上し、かつ肘掛け５を連結椅子１に後付けで取り付ける際に、肘掛け５の肘掛けプレート部２１を座体４の背面側からスリット部２７に挿入し易くなり、肘掛け５を連結椅子１に容易に取り付けることができる。
【００４３】
また、肘掛け５の支持部の一部は、背凭れ隙間部２８に配置されて背凭れ隙間部２８の少なくとも一部を閉塞する閉塞部としての肘掛け後部２５となっていることで、背凭れ隙間部２８を閉塞する肘掛け後部２５により、座体４に座った使用者の衣服や荷物等が背凭れ隙間部２８に挟まることを防止できる。
【００４４】
また、座体４と肘掛け５とは、支持脚２が設けられた支持フレーム３にそれぞれ取り付けられることで、座体４と肘掛け５とは、それぞれ別個に支持フレーム３により支持されるため、座体４に座った使用者が肘掛け５に荷重を掛けても、その荷重が肘掛け５から座体４に伝達されずに済むようになり、肘掛け５に加わる荷重が座板１２の端縁同士の近接状態に影響を与えずに済むようになる。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、前記実施例では、支持フレーム３に４つの座体４を左右方向に隣接して設置しているが、少なくとも２つ以上の座体４であればよく、座体４をいくつ連結してもよい。多くの座体４を連結する場合には、座体４の設置数に応じた支持フレーム３を用意し、支持脚２を、支持フレーム３の左右端部だけでなく、その中間にも増設することにより、安定した連結椅子１とすることができる。
【符号の説明】
【００４７】
１                連結椅子
２                支持脚
３                支持フレーム
４                座体
５                肘掛け
６                脚部
７                ブラケット
８                座体フレーム
９                外フレーム
１０              内フレーム
１１              座板クッション
１２              座板
１３              背凭れクッション
１４              背凭れ
１５              座体固定部材
１６              肘掛け取付部
１７              係合溝
１８              肘掛け固定部材
１９              ネジ
２０              肘掛け中央部
２１              肘掛けプレート部（支持部）
２２              肘掛け本体
２３              肘掛け下辺部（支持部，幅広部）
２４              肘掛け前部
２５              肘掛け後部（支持部，閉塞部）
２６              肘掛け上辺部
２７              スリット部
２８              背凭れ隙間部
２９              肘掛けフレーム部（支持部）
【図１】
0005501728.tif 000002
【図２】
0005501728.tif 000003
【図３】
0005501728.tif 000004
【図４】
0005501728.tif 000005
【図５】
0005501728.tif 000006
【図６】
0005501728.tif 000007